(57)【特許請求の範囲】
【請求項１】
電子装置において無線機能を使用可能にするモジュールであって、
前記電子装置の電源ソケットに着脱可能に挿入できる大きさにしたきょう体と、
前記きょう体によって支持され、前記きょう体が電源ソケットに受け入れられたとき、
前記電子装置の対応する複数の装置端子と接触する複数のモジュール端子と、
前記きょう体によって支持される無線送信器と、
前記きょう体内に収容され、前記無線送信器と連携する第１電子部品であって、前記複数のモジュール端子の第１モジュール端子と通信し、前記第１モジュール端子を介して記電子装置から出装置データを受信し、前記無線送信器を用いて前記出装置データを送信するように動作することができる第１電子部品と、
前記きょう体内に収容され、前記複数のモジュール端子の第２モジュール端子と通信する電源であって、前記きょう体が前記電源ソケットに受け入れられたとき、前記電子装置に電力を供給するように動作できる電源と、
前記電源と連携する第２電子部品であって，前記第１モジュール端子と通信し，前記第
１モジュール端子を介して前記電子装置から電源データを受信し，前記電源データに基づ
いて前記電源の動作を制御するように動作できる第２電子部品と、
を備え、
前記第１電子部品及び前記第２電子部品は，前記第１モジュール端子を介して前記電子装置から，前記出装置データ及び前記電源データを直列通信で受信するように動作できる，モジュール。
【請求項２】
前記電源はさらに，前記第１電子部品にも電力を供給する，請求項１に記載のモジュール。
【請求項３】
前記無線送信器は無線送受信器を含み，
前記第１電子部品は，前記無線送受信器を用いて入装置データを受信し，前記第１モジュール端子を介して前記電子装置に前記入装置データを送信するように動作できる，請求項１に記載のモジュール。
【請求項４】
前記無線送信器は無線ＬＡＮ送受信器である，請求項３に記載のモジュール。
【請求項５】
前記第２電子部品は，前記電子装置から受信したデータが前記電源データであるか，前
記出装置データであるかを判定するようにプログラムされている，請求項１に記載のモジ
ュール。
【請求項６】
無線でデータを伝送するシステムであって，
請求項１に記載のモジュールと，
電子装置と，
を含むシステム。
【請求項７】
前記電子装置は注入装置を含む，請求項６に記載のシステム。
【請求項８】
前記第１電子部品が前記注入装置から受信した前記出装置データは，前記注入装置の少
なくとも一人の患者の注入パラメータを表す，請求項７に記載のシステム。
【請求項９】
前記第１電子部品は，無線送受信器を用いて入装置データを受信し，前記第１モジュー
ル端子を介して前記注入装置に前記入装置データを送信するように動作でき，前記の受信
した入装置データは前記注入装置の注入パラメータライブラリを表す，請求項７に記載の
システム。
【請求項１０】
電子装置において無線機能を使用可能にする方法であって，
前記電子装置の電源ソケットにモジュールを挿入するステップであって，前記モジュールの複数のモジュール端子が前記電子装置の対応する複数の装置端子と接触するようにする，ステップと，
前記複数のモジュール端子の第２モジュール端子を介して，前記モジュールの電源によって前記電子装置に電力を供給するステップと，
前記複数のモジュール端子の第１モジュール端子を介して，前記モジュールの第１電子部品によって前記電子装置から出装置データを受信するステップと，
前記モジュールの無線送信器を用いて，前記出装置データを送信するステップと，
前記第１モジュール端子を介し前記モジュールの第２電子部品によって，前記電子装置
から電源データを受信するステップと，
前記電源データに基づいて，前記第２電子部品によって前記電源の動作を制御するステ
ップと，
を有し、
前記第１電子部品及び前記第２電子部品によって，それぞれ，前記出装置データ及び前
記電源データを受信するステップは，前記第１モジュール端子を介して前記電子装置から
，直列通信で前記出装置データ及び前記電源データを受信するステップを含む，方法。
【請求項１１】
前記電源によって，前記第１電子部品に電力を供給するステップを更に有する，請求項
１０に記載の方法。
【請求項１２】
前記モジュールの無線受信器を用いて入装置データを受信するステップと，
前記第１モジュール端子を介し前記第１電子部品によって，前記電子装置に前記入装置
データを送信するステップと，
を更に有する，請求項１０に記載の方法。
【請求項１３】
前記送信するステップ及び前記受信するステップはそれぞれ，無線ＬＡＮ内の遠隔配置
された装置に前記出装置データを送信するステップと，前記装置から前記入装置データを
受信するステップと，を有する，請求項１２に記載の方法。
【請求項１４】
前記電子装置から受信したデータが前記電源データであるか，前記出装置データであるかを判定する，請求項１０に記載の方法。
【発明の詳細な説明】
【技術分野】
【０００１】
本発明は概略無線通信システムに関し，より特定すれば，電子装置における無線機能を使用可能にするシステム及び方法に関する。
【背景技術】
【０００２】
近年，電子装置がほかの電子装置に情報を伝送する能力が重要になっている。特に，部分的には通信及び可搬性が容易な点で，無線通信機能を備えた電子装置が特に望まれるようになっている。したがって，無線通信機能がない電子装置は，主要な非通信機能が依然として存在しているときであっても不人気になっている。
【発明の概要】
【発明が解決しようとする課題】
【０００３】
本発明の態様は，電子装置において無線機能を使用可能にするシステム及び方法に関する。
【課題を解決するための手段】
【０００４】
本発明の一態様によれば，電子装置において無線機能を使用可能にするモジュールが開示される。このモジュールは，きょう体と，複数のモジュール端子と，無線送信器と，第１電子部品と，電源とを備える。きょう体は電子装置の電源ソケットに着脱可能に挿入できる大きさになっている。複数のモジュール端子はきょう体によって支持され，きょう体が電源ソケットに受け入れられたとき，電子装置の対応する複数の装置端子と接触する。第１電子部品はきょう体内に収容され，無線送信器と連携する。第１電子部品は複数のモジュール端子の第１端子と通信し，第１モジュール端子を介して電子装置から出装置データ（ｏｕｔｂｏｕｎｄ  ｄｅｖｉｃｅ  ｄａｔａ）を受信し，無線送信器を用いて出装置データを送信するように動作することができる。電源はきょう体内に収容される。電源は複数のモジュール端子の第２端子と通信し，きょう体が電源ソケットに受け入れられたとき，電子装置に電力を供給するように動作できる。
【０００５】
本発明の別の態様によれば，無線でデータを伝送するシステムが開示される。このシステムは，上述のモジュールと，モジュールを受け入れる電子装置とを含む。
【０００６】
本発明のまた別の態様によれば，電子装置において無線機能を使用可能にする方法が開示される。この方法は，モジュールの複数のモジュール端子が電子装置の対応する複数の装置端子と接触するように，電子装置の電源ソケットにモジュールを挿入するステップと，複数のモジュール端子の第２端子を介して，モジュールの電源によって電子装置に電力を供給するステップと，複数のモジュール端子の第１端子を介して，モジュールの第１電子部品によって電子装置から出装置データを受信するステップと，モジュールの無線送信器を用いて，出装置データを送信するステップと，を有する。
【０００７】
本発明は，添付の図面を参照して以降の詳細な説明を読むことによって最良に理解できる。図面において類似の要素は同一の参照番号を有する。複数の類似要素があるとき，当該複数の類似要素に一つの参照番号を指定し，小文字で特定要素を指定することがある。要素を集合的に指すとき，又は非特定の１又は複数の要素を指すときは，小文字による指定は省略することがある。普通の実務に従って，図面の種々の特徴は，別途指示しない限り，正確な縮尺では描かれていないことを強調しておく。反対に，明確にするため，種々の特徴の寸法は拡大又は縮小されることがある。
【図面の簡単な説明】
【０００８】
【図１】本発明の態様による，電子装置において無線機能を使用可能にする例示モジュールを示す図である。
【図２】本発明の態様による，電子装置において無線機能を使用可能にする例示モジュールを示す図である。
【図３】図１のモジュールの例示通信方式を示すフローチャートである。
【図４】本発明の態様による，無線でデータを伝送する例示システムを示す図である。
【図５】本発明の態様による，電子装置において無線機能を使用可能にする例示方法を示すフローチャートである。
【発明を実施するための形態】
【０００９】
ここに開示するモジュール，システム及び方法は，無線通信機能を欠く電子装置に関して，選択的に電子装置に無線通信機能を追加し，電子装置から無線通信機能を除去するために用いることができる。これらの実施形態は，元来はそのような機能を欠く電子装置に無線機能を提供する，すなわち，電子装置に無線機能を事後導入するために特に適している。
【００１０】
ここに開示する例示電子装置は，主に注入（ｉｎｆｕｓｉｏｎ）装置に関して説明されている。しかし，本発明の例示実施形態はここでは注入装置について説明しているが，当業者であれば本発明はそれに限定されないことを理解するであろう。ここで説明するモジュール，システム及び方法は，任意の適切な電子装置に関して，無線機能を使用可能にするために利用できる。
【００１１】
本発明の例示実施形態は一般に，既存の電子装置に無線通信機能を事後導入するように構成された電池パックモジュールに関する。この電池パックモジュールは，標準の電池端子を通じて電子装置から信号を受信し，受信した信号を無線で送信するように構成される。電池パックモジュールはまた，無線で信号を受信し，標準の電池端子を通じて受信した信号を電子装置に送信するように構成される。
【００１２】
ここで図面を参照すると，図１及び２は，本発明の態様によって電子装置において無線機能を使用可能にするモジュール１００を示している。モジュール１００は，元来は無線機能を欠く電子装置，例えば電子装置１０において，無線通信機能を使用可能にするために用いることができる。電子装置１０は電子医療装置，例えば注入装置であってよい。概略として，モジュール１００は，きょう体１１０と，複数の端子１２０と，無線送信器１３０と，電子部品１４０と，電源１５０とを含む。次にモジュール１００の更なる詳細を説明する。
【００１３】
きょう体１１０はモジュール１００の部品を収容する。図１に示すように，電子装置１０は電源ソケット２０を含む。電子装置１０の電源ソケット２０は，通常の電池パックのような電源を受け入れる大きさになっている。きょう体１１０は，図１に示すように，電源ソケット２０に着脱可能に挿入できる大きさになっている。したがって，きょう体１１０は，電子装置１０の通常の電池パックの大きさ及び形状を有することが望ましい。当業者であれば，きょう体１１０の適切な大きさ及び形状は，電子装置１０の通常の電池パックの大きさ及び形状に基づいて容易に決定できるであろう。
【００１４】
複数のモジュール端子はきょう体１１０によって支持される。モジュール端子１２０は，きょう体１１０によって直接支持されてもよいし，間接的に支持されてもよい。図１に示すように，電子装置１０は，電源ソケット２０に配置された複数の装置端子３０を含む。装置端子３０は，電池パックが電源ソケット２０に受け入れられたとき，通常の電池パックの対応する端子と接触するように配置され，例えば，電子装置１０に電力を供給するために電池パックから電力を受電する。一つの実施形態においては，モジュール端子１２０は，金属面と接触しないように引っ込んだ端子であってよく，一方，装置端子３０は引っ込んだモジュール端子とかん合する大きさにした突起である。装置端子３０は，通常主に通常の電池パックから電力を受電するために用いられる。モジュール端子１２０はきょう体１１０に配置され，モジュール１００が電源ソケット２０に挿入されたとき，装置端子３０と接触する。したがって，モジュール端子１２０の配置は，電子装置１０の通常の電池パックの端子と同一又は類似であることが望ましい。図１には二つのモジュール端子１２０が示されているが，本発明はそれに限定されないことを理解されたい。当業者であればこの説明から理解するであろうが，モジュール１００は任意の数のモジュール端子１２０を含んでもよい。
【００１５】
無線送信器１３０はきょう体１１０によって支持される。無線送信器１３０は，きょう体１１０の中に収容されてもよいし，きょう体１３０の表面に搭載されてもよい。無線送信器はモジュール１００から無線でデータを送信するように構成される。無線送信器１３０はさらに，無線送受信器であって，無線でデータを受信するように構成されてもよい。無線送信器１３０は，モジュール１００の無線ＬＡＮ（ＷＬＡＮ）内の遠隔配置された電子装置にデータを送信し，当該電子装置にデータを受信するために用いることができることが望ましい。無線送信器１３０によって送受信される通信（ｔｒａｎｓｍｉｓｓｉｏｎｓ）に関する更なる詳細をここで説明する。当業者であれば，この説明から無線送信器１３０として用いるために適した送信器／受信器／送受信器が分かるであろう。
【００１６】
電子部品１４０は無線送信器１３０と連携する。図２に示すように，電子部品１４０はモジュール端子の一つ１２０ａと通信する。例示実施形態においては，電子部品１４０は無線送信器１３０を用いて行われる無線通信を制御するようにした無線計算機である。この実施形態においては，電子部品１４０は，モジュール端子１２０ａを介して電子装置１０から出装置データを受信し，無線送信器１３０を用いて遠隔地に出装置データを送信するように動作することができる。無線送信器１３０が無線送受信器であるとき，電子部品１４０はさらに，無線送受信器を用いて入装置データ（ｉｎｂｏｕｎｄ  ｄｅｖｉｃｅ  ｄａｔａ）を受信し，モジュール端子１２０ａを介して入装置データを電子装置１０に送信するように動作することができる。
【００１７】
電子部品１４０はまた，データを送信する前に，又は送信する代わりに，電子装置１０又は無線送信器１３０から受信したデータを処理するように構成してもよい。電子部品１４０は，電子部品１４０の上述の動作を実行するようにプログラムされた１又は複数のデータプロセッサを備えてもよい。電子部品１４０はさらに，メモリと，１又は複数のプロセッサを動作させるためのメモリ内に用意されたソフトウェアとを含んでもよい。当業者であれば，この説明から適切なデータプロセッサが分かるであろう。
【００１８】
図２において，電子部品１４０は一つのモジュール端子１２０ａと通信しているように示されているが，本発明はそれに限定されないことを理解されたい。当業者であればこの説明から理解するであろうが，電子部品１４０は任意の数のモジュール端子と接続されてもよい。
【００１９】
電源１５０はきょう体１１０内に収容される。図２に示すように，電源１５０はほかのモジュール端子１２０ｂ及び１２０ｃと通信する。電源１５０は，モジュール１００が電源ソケット２０に受け入れられたとき，（例えば，電子装置１０の動作を可能にするために）モジュール端子１２０ｂ及び１２０ｃを介して電子装置１０に電力を供給するように動作することができる。電源１５０はさらに，モジュール１００の部品，例えば電子部品１４０に電力を供給するように構成してもよい。例示実施形態においては，電源１５０は再充電可能なリチウムイオン電池であってもよい。電池の電圧，電力及び寿命は，電源１５０によって充電されるように，電子装置１０と両立するように選択してもよい。当業者であれば，この説明から適切な電池が分かるであろう。
【００２０】
当業者であればこの説明から理解するであろうが，モジュール１００は上述の部品に限定されず，代替部品及び追加部品を含んでもよいことを理解されたい。
【００２１】
モジュール１００は別の電子部品１６０を含んでもよい。電子部品１６０は電源１５０と連携する。図２に示すように，電子部品１６０はモジュール端子１２０ａと通信している。例示実施形態においては，電子部品１６０は電源１５０の動作を制御するようにした電池制御器である。この実施形態においては，電子部品１６０はモジュール端子１２０ａを介して電子装置１０から電源データを受信し，受信した電源データに基づいて，電源１５０の動作を制御するように動作することができる。
【００２２】
電子部品１６０はまた，電源１５０の動作を制御するに先立って，又は制御する代わりに，電子装置１０から受信したデータを処理するように構成してもよい。電子部品１６０は，電子部品１６０の上述の動作を実行するようにプログラムされた１又は複数のデータプロセッサを備えてもよい。当業者であれば，この説明から適切なデータプロセッサが分かるであろう。
【００２３】
モジュール１００はまた，遮断部品１７０を含んでもよい。遮断部品１７０は，電子部品１４０又は１６０から信号を受信したとき，無線機能を無効にするようにプログラムしてもよい。この実施形態においては，電子装置１０はモジュール１００に信号を送信して，無線機能が不要であることを示すようにプログラムしてもよい。したがって，モジュール１００が通常の電池パックに類似して機能できるようにするため，遮断部品１７０は無線送信器１３０及び電子部品１４０を無効化してもよい。
【００２４】
図２に示すように，電子部品１４０及び電子部品１６０双方は，一つのモジュール端子１２０ａを介して電子装置１０からデータを受信してもよい。この実施形態においては，電子部品１４０及び１６０は，電子装置１０から直列通信で出装置データ及び電源データを受信するように動作できてもよい。
【００２５】
図３は，本発明の態様による，電子装置１０と電子部品１４０及び１６０との間の例示通信方式を示す。図３に示すように，電子装置１０は，一つのモジュール端子を通じて直列通信によってデータをモジュール１００に送信する。例示実施形態においては，電子部品１６０は最初にデータを電子装置１０から受信するように構成される。電子部品１６０は，受信したデータが電子部品１６０向けの（例えば，電源１５０の動作又は制御に関する）電源データであるか，電子部品１４０向けの出装置データ（例えば，無線送信用の装置動作パラメータ）であるかを判定するようにプログラムされる。前者の場合，電子部品１６０は電子装置１０から受信したデータを処理し，何らかの動作を行う必要があるか否かを判定する。後者の場合，電子部品１６０はデータを無視し，電子部品１４０に直列伝送するようにプログラムされる。
【００２６】
類似して，電子部品１４０が，受信したデータが電子部品１６０向けの電源データであると判定したとき，電子部品１４０はデータを無視するようにプログラムされる。しかし，電子部品１４０が，自身が受信したデータの対象であると判定したときは，データを送信するか，又は処理するようにプログラムされる。
【００２７】
電子部品１４０及び１６０は，モジュール端子１２０ａを通じて伝送されるデータを分析するために直列プロトコルを用い，データが意図する対象を判定する。当業者であればこの説明から適切な直列通信プロトコルが分かるであろう。
【００２８】
図２及び３においては，電子部品１４０及び１６０は一つのモジュール端子１２０ａを共有しているように示されているが，本発明はそれに限定されないことを理解されたい。当業者であればこの説明から理解するであろうが，電子部品１４０及び１６０は，電子装置１０の構成に応じて，それぞれ専用のモジュール端子１２０に接続されてもよい。
【００２９】
図４は，本発明の態様によって，無線でデータを伝送するシステム２００を示す。概略として，システム２００は電子装置２１０及びモジュール２５０を含む。ここでシステム２００の更なる詳細を説明する。
【００３０】
電子装置２１０は無線機能を欠いている。換言すれば，電子装置２１０は無線通信を送信又は受信する機能を含むように構成されていない。電子装置２１０は別の装置に有線通信を送信できてもよい。電子装置１０に関して上述したとおり，電子装置２１０は，通常の電源から電力を受電するために，複数の装置端子（図示せず）を含む電源ソケット（図示せず）を含む。例示実施形態においては，電子装置２１０は，例えば注入装置のような電子医療装置である。
【００３１】
電子装置２１０は，電子装置１０の１又は複数の機能を実行する機能部品２２０を含む。電子装置２１０が電子医療装置であるとき，機能部品２２０は患者に医療（例えば，患者への液体の注入）を提供するように構成してもよい。当業者であれば，この説明からほかの適切な機能部品２２０が分かるであろう。
【００３２】
電子装置２１０は，電子装置２１０と連携する別の装置への有線通信の送信を可能にする制御器域網（ＣＡＮ）のバス２３０を含む。図４に示すように，システム２００はさらに，ＣＡＮのバス２３０に結合し，電子装置２１０からデータを受信する計算機２３５を含んでもよい。
【００３３】
電子装置２１０は，電子装置２１０の動作を制御するプロセッサ２４０を含む。プロセッサ２４０は，対応する機能，例えば，患者への治療の提供を実行するように，機能部品２２０を動作させる。プロセッサ２４０はさらに，ＣＡＮのバス２３０を介する信号を制御する。最後に，プロセッサ２４０は，モジュール２５０が電源ソケットに受け入れられたとき，データをモジュール２５０に送信するように構成される。
【００３４】
電子装置２１０は，電子装置２１０がモジュール２５０との無線送信用にデータを伝送できるようにするため，特化されたソフトウェアを含んでもよいし，特化されたソフトウェアを含むように改造又は更新してもよい。例示実施形態においては，電子装置２１０は，通常の電池パック又はモジュール２５０が電源ソケットに受け入れられるか否かを，（例えば，起動時に）判定するようにプログラムしてもよい。モジュール２５０が電源ソケットに受け入れられるとき，電子装置２１０は利用者に無線送信用のモジュール２５０によってデータを伝送するための選択機能を提供するようにプログラムしてもよい。ソフトウェアを使用することによって，ソフトウェアの修正（すなわち，上述の特化されたソフトウェアのインストール）だけによって，かつ関連するハードウェアの変更なしに，電子装置（例えば，電子装置２１０）に無線送信を事後導入することができる。
【００３５】
モジュール２５０は電子装置２１０に無線機能を提供する。モジュール２５０は，別途提供される場合を除いてモジュール１００に関して上述したすべての機能を含む。
【００３６】
モジュール２５０は，無線送受信器２６０と，この無線送受信器と連携する電子部品２７０とを含む。無線送受信器２６０は，モジュール２５０の無線ＬＡＮ内の遠隔配置された電子装置に出装置データを送信し，電子装置から入装置データを受信する。図４に示すように，システム２００は，無線で無線送受信器２６０からデータを受信し，無線送受信器にデータを送信するように動作できる遠隔サーバ２６５を含む。
【００３７】
ここで，本発明の態様によるシステム２００の動作を説明する。上述のとおり，電子装置２１０は無線機能を欠く。モジュール２５０が電子装置２１０の電源ソケットに（通常の電池パックの代わりに）挿入されたとき，モジュール２５０は電子装置が無線通信を実行できるようにする。
【００３８】
例えば，プロセッサ２４０は，電源ソケットに配置された電池端子を介してモジュール２５０に装置データを送信してもよい。モジュール２５０の電子部品２７０は，電子装置２１０から出装置データを受信し，無線送受信器２６０を用いてサーバ２６５に出装置データを無線で送信するように動作できる。類似して，モジュール２５０は無線送受信器２６０を用いてサーバ２６５から無線信号を受信し，電子部品２７０は電池端子を介して電子装置２１０に無線信号の入装置データを送信してもよい。
【００３９】
電子装置２１０は，電子装置がＣＡＮバス２３０を介して行うものと異なるデータをモジュール２５０を介して送信し，受信するようにプログラムしてもよい。例えば，電子装置２１０が注入装置２１０であるとき，電子装置２１０はＣＡＮバス２３０を介して，設定データ（例えば，ＳＳＩＤ，ＩＰアドレス，証明書，等）に関するデータを送信するように動作できてもよい。逆に，電子装置２１０が，注入装置の少なくとも一人の患者のための注入パラメータを表すデータを，モジュール２５０に送信するように動作できる。そして，この注入パラメータデータは，医療記録の記憶又は発生のために，電子部品２７０によってサーバ２６５に無線で送信される。類似して，電子装置２１０は，電子装置２１０用の注入パラメータライブラリを表すデータを，サーバ２６５から受信するように動作できてもよい。そして，注入パラメータライブラリデータは，記憶のために電子装置２１０に送信してもよい。
【００４０】
図５は，本発明の態様によって，電子装置において無線機能を利用可能にする例示方法３００を示す。方法３００は，元来無線機能を欠く電子装置において無線通信機能を利用可能にするために用いることができる。概略として，方法３００は，電子装置にモジュールを挿入するステップと，電子装置に電力を供給するステップと，電子装置からデータを受信するステップと，データを送信するステップとを含む。ここで，電子装置１０及びモジュール１００に関して，方法３００の更なる詳細を説明する。
【００４１】
ステップ３１０において，モジュールが電子装置に挿入される。例示実施形態においては，モジュール１００が電子装置１０の電源ソケット２０に挿入される。挿入されたとき，モジュール１００のモジュール端子１２０は，電子装置１０の対応する装置端子３０と接触する。
【００４２】
ステップ３２０において，モジュールが電子装置に電力を供給する。例示実施形態においては，モジュール１００の電源１５０が，モジュール端子１２０ｂ及び１２０ｃを介して電子装置１０を動作させる電力を供給する。電源１５０はまた，モジュール１００の部品（例えば，電子部品１４０）にも電力を供給する。
【００４３】
ステップ３３０において，出装置データが電子装置から受信される。例示実施形態においては，モジュール１００の電子部品１４０が，モジュール端子１２０ａを介して電子装置１０から出装置データを受信する。
【００４４】
ステップ３４０において，出装置データが無線で送信される。例示実施形態においては，モジュール１００の電子部品１４０が，無線送信器１３０を用いて出装置データを送信する。
【００４５】
当業者であればこの説明から理解するであろうが，方法３００は上述のステップに限定されず，代替ステップ及び追加ステップを含んでもよいことを理解されたい。
【００４６】
一例として，無線送信器１３０は無線送受信器であってもよい。したがって，方法３００はさらに，無線送受信器を介して入装置データを受信するステップと，電子装置に入装置データを送信するステップとを含んでもよい。例示実施形態においては，電子部品１４０が無線送受信器を用いて入装置データを受信し，モジュール端子１２０ａを介して電子装置１０に入装置データを送信する。無線送信器１３０は，モジュール１００の無線ＬＡＮ内に遠隔配置された電子装置にデータを送信し，電子装置からデータを受信するように動作できてもよい。
【００４７】
別の例として，モジュール１００は電源と連携する第２電子部品を含んでもよい。したがって，方法３００はさらに，第２電子部品で電源データを受信するステップと，受信した電源データに基づいて電源を制御するステップとを含んでもよい。例示実施形態においては，電子部品１６０がモジュール端子１２０ａを介して電子装置１０から電源データを受信し，受信した電源データに基づいて，電源１５０の動作を制御する。電子部品１４０及び電子部品１６０双方が同一のモジュール端子１２０ａを介して電子装置１０からデータを受信するときは，電子部品１４０及び電子部品１６０は実質的には上述されたように，電子装置１０から直列通信で出装置データ及び電源データを受信するように動作してもよい。
【００４８】
さらに別の例として，方法３００は電子装置から通常の電池パックを取り外すステップを含んでもよい。例示実施形態においては，ステップ３１０に先立って，通常の電池パックが電子装置１０の電源ソケット２０から取り外される。そして，非無線機能モードから無線機能モードに切り替えるために，モジュール１００を電源ソケット２０に挿入してもよい（すなわち，ステップ３１０）。同様に，無線機能モードを止めるため，例えばモジュール１００を別の装置で用いるために解放するために，モジュール１００を通常の電池パックで置き換えてもよい。
【００４９】
ここでは本発明を特定の実施形態に関して示したが，本発明は示された詳細に限定されないものとする。そうではなく，本願請求項の範囲内及び均等物の範囲内，かつ本発明から逸脱することなく，詳細について種々の修正を行ってもよい。
【図１】
0005873192.tif 000002
【図２】
0005873192.tif 000003
【図３】
0005873192.tif 000004
【図４】
0005873192.tif 000005
【図５】
0005873192.tif 000006